(57)【特許請求の範囲】
【請求項１】
スマートデバイスに用いられているスマートホームデバイスの制御方法であって、
参加者の個人情報を取得するステップと、
前記個人情報に基づいてスマートホームデバイスの動作モードを決定して、前記スマートホームデバイスが前記動作モードで作業を完成するようにするステップと
を含み、
前記個人情報は、参加者の身元情報と業務嗜好情報と優先順位の情報を含み、
参加者が複数人いる場合、前記個人情報に基づいてスマートホームデバイスの動作モードを決定することは、
大多数の参加者の業務嗜好情報に基づいて当該大多数の参加者の業務嗜好にマッチングする動作モードを決定すること、又は、
参加者の中の優先順位１番目の参加者の業務嗜好情報に基づいて優先順位１番目の参加者にマッチングした動作モードを決定すること、又は、
予めそれぞれの参加者の好みに合う調理モードを決定し、その後、前記調理モードにおける各パラメータ情報の平均値を算出し、前記各パラメータ情報の平均値を動作モードとして決定することを含む、ことを特徴とするスマートホームデバイスの制御方法。
【請求項２】
前記参加者の個人情報を取得するステップは、
ルータから現在ネットワークに接続されているデバイスリストを取得するステップと、
前記デバイスリストに基づいて参加者の身元情報を決定するステップと、
前記参加者の身元情報に基づいて前記参加者の業務嗜好情報を取得するステップと
を含むことを特徴とする請求項１に記載のスマートホームデバイスの制御方法。
【請求項３】
前記個人情報は、身元情報と業務嗜好情報を含み、
前記参加者の個人情報を取得するステップは、
バインディングされているデバイスの位置情報を取得するステップと、
前記位置情報に基づいて参加者の身元情報を決定するステップと、
前記身元情報に基づいて前記参加者の業務嗜好情報を取得するステップと
を含むことを特徴とする請求項１に記載のスマートホームデバイスの制御方法。
【請求項４】
前記参加者の個人情報を取得するステップは、
関連するテキストを分析して、参加者の個人情報を取得するステップを含むことを特徴とする請求項１に記載のスマートホームデバイスの制御方法。
【請求項５】
前記関連するテキストは、ログ情報、インスタントメッセージソフトウェアのチャット記録及びメール情報のうちの一つ又は複数を含むことを特徴とする請求項４に記載のスマートホームデバイスの制御方法。
【請求項６】
前記個人情報に基づいてスマートホームデバイスの動作モードを決定して、前記スマートホームデバイスが前記動作モードで作業を完成するようにするステップは、
当該スマートデバイスがスマートホームデバイスを制御する制御デバイスである場合、前記動作モードを前記スマートホームデバイスに送信して、前記スマートホームデバイスが前記動作モードで作業を完成するようにするステップを含み、
当該スマートデバイスが前記スマートホームデバイスである場合、前記動作モードで作業を完成するステップを含む
ことを特徴とする請求項１乃至請求項５のいずれか一項に記載のスマートホームデバイスの制御方法。
【請求項７】
前記個人情報に基づいてスマートホームデバイスが作業を行う作業原料の情報を決定するステップをさらに含むことを特徴とする請求項１に記載のスマートホームデバイスの制御方法。
【請求項８】
当該スマートデバイスが前記スマートホームデバイスである場合、前記作業原料の情報に基づいて作業原料を自動的に添加し、前記動作モードで作業を完成するステップをさらに含み、
当該スマートデバイスがスマートホームデバイスを制御する制御デバイスである場合、前記作業原料の情報を前記スマートホームデバイスに送信して、前記スマートホームデバイスが前記作業原料の情報に基づいて作業原料を自動的に添加し、前記動作モードで作業を完成するようにするステップをさらに含む
ことを特徴とする請求項７に記載のスマートホームデバイスの制御方法。
【請求項９】
目標作業の完成時間を決定するステップと、
前記目標作業の完成時間に基づいて開始時間を算出するステップと
をさらに含むことを特徴とする請求項１に記載のスマートホームデバイスの制御方法。
【請求項１０】
当該スマートデバイスが前記スマートホームデバイスである場合、前記開始時間に達した時に作業を開始するステップをさらに含み、
当該スマートデバイスがスマートホームデバイスを制御する制御デバイスである場合、前記開始時間を前記スマートホームデバイスに送信して、前記スマートホームデバイスが前記開始時間に達した時に作業を開始するようにするステップをさらに含む
ことを特徴とする請求項９に記載のスマートホームデバイスの制御方法。
【請求項１１】
前記目標作業の完成時間を決定するステップは、
参加者の位置情報に基づいて前記目標作業の完成時間を決定するステップを含むことを特徴とする請求項９に記載のスマートホームデバイスの制御方法。
【請求項１２】
前記目標作業の完成時間を決定するステップは、
参加者の位置情報と業務嗜好情報に基づいて前記目標作業の完成時間を決定するステップを含むことを特徴とする請求項９に記載のスマートホームデバイスの制御方法。
【請求項１３】
前記参加者は、食事をする人であり、
前記スマートホームデバイスは、スマート炊飯器であり、
前記動作モードは、一つ又は複数の調理パラメータの情報を含む調理モードであることを特徴とする請求項１乃至請求項１２のいずれか一項に記載のスマートホームデバイスの制御方法。
【請求項１４】
スマートデバイスに用いられているスマートホームデバイスの制御装置であって、
参加者の個人情報を取得するための情報取得ユニットと、
前記個人情報に基づいてスマートホームデバイスの動作モードを決定して、前記スマートホームデバイスが前記動作モードで作業を完成するようにするためのモード決定ユニットと
を備え、
前記個人情報は、参加者の身元情報と業務嗜好情報と優先順位の情報を含み、
参加者が複数人いる場合、前記モード決定ユニットは、
大多数の参加者の業務嗜好情報に基づいて当該大多数の参加者の業務嗜好にマッチングする動作モードを決定するユニット、又は、
参加者の中の優先順位１番目の参加者の業務嗜好情報に基づいて優先順位１番目の参加者にマッチングした動作モードを決定するユニット、又は、
予めそれぞれの参加者の好みに合う調理モードを決定し、その後、前記調理モードにおける各パラメータ情報の平均値を算出し、前記各パラメータ情報の平均値を動作モードとして決定するユニットを含む、ことを特徴とするスマートホームデバイスの制御装置。
【請求項１５】
前記情報取得ユニットは、
ルータから現在ネットワークに接続されているデバイスリストを取得するための第１取得サブユニットと、
前記デバイスリストに基づいて参加者の身元情報を決定するための第１決定サブユニットと、
前記参加者の身元情報に基づいて前記参加者の業務嗜好情報を取得するための第２取得サブユニットと
を備えることを特徴とする請求項１４に記載のスマートホームデバイスの制御装置。
【請求項１６】
前記個人情報は、身元情報と業務嗜好情報を含み、
前記情報取得ユニットは、
バインディングされているデバイスの位置情報を取得するための第３取得サブユニットと、
前記位置情報に基づいて参加者の身元情報を決定するための第２決定サブユニットと、
前記身元情報に基づいて前記参加者の業務嗜好情報を取得するための第４取得サブユニットと
を備えることを特徴とする請求項１４に記載のスマートホームデバイスの制御装置。
【請求項１７】
前記情報取得ユニットは、
関連するテキストを分析して、参加者の個人情報を取得するための分析取得サブユニットを備えることを特徴とする請求項１４に記載のスマートホームデバイスの制御装置。
【請求項１８】
前記関連するテキストは、ログ情報、インスタントメッセージソフトウェアのチャット記録及びメール情報のうちの一つ又は複数を含むことを特徴とする請求項１７に記載のスマートホームデバイスの制御装置。
【請求項１９】
前記モード決定ユニットは、
当該スマートデバイスがスマートホームデバイスを制御する制御デバイスである場合、前記動作モードを前記スマートホームデバイスに送信して、前記スマートホームデバイスが前記動作モードで作業を完成するようにするためのモード送信サブユニットと、
当該スマートデバイスが前記スマートホームデバイスである場合、前記動作モードで作業を完成するための作業完成サブユニットと
を備えることを特徴とする請求項１４乃至請求項１７のいずれか一項に記載のスマートホームデバイスの制御装置。
【請求項２０】
前記個人情報に基づいてスマートホームデバイスが作業を行う作業原料の情報を決定するための原料決定ユニットをさらに備えることを特徴とする請求項１４に記載のスマートホームデバイスの制御装置。
【請求項２１】
当該スマートデバイスが前記スマートホームデバイスである場合、前記作業原料の情報に基づいて作業原料を自動的に添加し、前記動作モードで作業を完成するための第１添加ユニットと、
当該スマートデバイスがスマートホームデバイスを制御する制御デバイスである場合、前記作業原料の情報を前記スマートホームデバイスに送信して、前記スマートホームデバイスが前記作業原料の情報に基づいて作業原料を自動的に添加し、前記動作モードで作業を完成するようにするための第２添加ユニットと
をさらに備えることを特徴とする請求項２０に記載のスマートホームデバイスの制御装置。
【請求項２２】
目標作業の完成時間を決定するための時間決定ユニットと、
前記目標作業の完成時間に基づいて開始時間を算出するための時間算出ユニットと
をさらに備えることを特徴とする請求項１４に記載のスマートホームデバイスの制御装置。
【請求項２３】
当該スマートデバイスが前記スマートホームデバイスである場合、前記開始時間に達した時に作業を開始するための第１作業ユニットと、
当該スマートデバイスがスマートホームデバイスを制御する制御デバイスである場合、前記開始時間を前記スマートホームデバイスに送信して、前記スマートホームデバイスが前記開始時間に達した時に作業を開始するようにするための第２作業ユニットと
をさらに備えることを特徴とする請求項２２に記載のスマートホームデバイスの制御装置。
【請求項２４】
前記時間決定ユニットは、
参加者の位置情報に基づいて前記目標作業の完成時間を決定するための第３決定サブユニットを備えることを特徴とする請求項２２に記載のスマートホームデバイスの制御装置。
【請求項２５】
前記時間決定ユニットは、
参加者の位置情報と業務嗜好情報に基づいて前記目標作業の完成時間を決定するための第４決定サブユニットを備えることを特徴とする請求項２２に記載のスマートホームデバイスの制御装置。
【請求項２６】
前記参加者は、食事をする人であり、
前記スマートホームデバイスは、スマート炊飯器であり、
前記動作モードは、一つ又は複数の調理パラメータの情報を含む調理モードであることを特徴とする請求項１４乃至請求項２５のいずれか一項に記載のスマートホームデバイスの制御装置。
【請求項２７】
プロセッサと、
前記プロセッサにより実行可能なインストラクションを記憶するためのメモリと
を備え、
前記プロセッサは、
参加者の個人情報を取得し、
前記個人情報に基づいてスマートホームデバイスの動作モードを決定して、前記スマートホームデバイスが前記動作モードで作業を完成する
ように構成され、
前記個人情報は、参加者の身元情報と業務嗜好情報と優先順位の情報を含み、
参加者が複数人いる場合、前記個人情報に基づいてスマートホームデバイスの動作モードを決定することは、
大多数の参加者の業務嗜好情報に基づいて当該大多数の参加者の業務嗜好にマッチングする動作モードを決定すること、又は、
参加者の中の優先順位１番目の参加者の業務嗜好情報に基づいて優先順位１番目の参加者にマッチングした動作モードを決定すること、又は、
予めそれぞれの参加者の好みに合う調理モードを決定し、その後、前記調理モードにおける各パラメータ情報の平均値を算出し、前記各パラメータ情報の平均値を動作モードとして決定することを含む、ことを特徴とするスマートホームデバイスの制御装置。
【請求項２８】
プロセッサに実行されることにより、請求項１から請求項１３のいずれか一項に記載の方法を実現することを特徴とするプログラム。
【請求項２９】
請求項２８に記載のプログラムが記録された記録媒体。
【発明の詳細な説明】
【技術分野】
【０００１】
本発明は、通信の技術分野に関し、特にスマートホームデバイスの制御方法、装置、プログラム及び記録媒体に関する。
【背景技術】
【０００２】
インターネット技術の発展と普及に伴い、スマートホームデバイスはだんだん人々の生活に入ってきた。スマートホームデバイスとは、インターネットに接続できる各種のホームデバイス、例えば、スマートデスクランプ、スマート炊飯器等を指す。スマート炊飯器を例にして、スマート炊飯器は、ユーザの設定に基づいて複数のモードでご飯を作ることができる。しかし、食事をする人の味の好みは人それぞれであり、硬いご飯が好きな人もいれば、柔らかいご飯が好きな人もいる。関連技術によれば、スマート炊飯器の知能がそれほど高くないので、食事をする人の好みにしたがって調理を行うことができない。
【発明の概要】
【０００３】
本発明は、従来技術に存在する上記のような問題を解決するためになされたものであり、スマートホームデバイスの制御方法、装置、プログラム及び記録媒体を提供する。
【０００４】
本発明の実施例に係る第１様態によれば、
参加者の個人情報を取得するステップと、
前記個人情報に基づいてスマートホームデバイスの動作モードを決定して、前記スマートホームデバイスが前記動作モードで作業を完成するようにするステップと
を含むスマートホームデバイスの制御方法を提供する。
【０００５】
前記個人情報は、身元情報と業務嗜好情報を含み、
前記参加者の個人情報を取得するステップは、
ルータから現在ネットワークに接続されているデバイスリストを取得するステップと、
前記デバイスリストに基づいて参加者の身元情報を決定するステップと、
前記参加者の身元情報に基づいて前記参加者の業務嗜好情報を取得するステップと
を含んでもよい。
【０００６】
前記個人情報は、身元情報と業務嗜好情報を含み、
前記参加者の個人情報を取得するステップは、
バインディングされているデバイスの位置情報を取得するステップと、
前記位置情報に基づいて参加者の身元情報を決定するステップと、
前記身元情報に基づいて前記参加者の業務嗜好情報を取得するステップと
を含んでもよい。
【０００７】
前記参加者の個人情報を取得するステップは、
関連するテキストを分析して、参加者の個人情報を取得するステップを含んでもよい。
【０００８】
前記関連するテキストは、ログ情報、インスタントメッセージソフトウェアのチャット記録及びメール情報のうちの一つ又は複数を含んでもよい。
【０００９】
前記個人情報に基づいてスマートホームデバイスの動作モードを決定して、前記スマートホームデバイスが前記動作モードで作業を完成するようにするステップは、
当該デバイスがスマートホームデバイスを制御する制御デバイスである場合、前記動作モードを前記スマートホームデバイスに送信して、前記スマートホームデバイスが前記動作モードで作業を完成するようにするステップを含んでもよく、
当該デバイスが前記スマートホームデバイスである場合、前記動作モードで作業を完成するステップを含んでもよい。
【００１０】
前記個人情報に基づいてスマートホームデバイスが作業を行う作業原料の情報を決定するステップをさらに含んでもよい。
【００１１】
当該デバイスが前記スマートホームデバイスである場合、前記作業原料の情報に基づいて作業原料を自動的に添加し、前記動作モードで作業を完成するステップをさらに含んでもよく、
当該デバイスがスマートホームデバイスを制御する制御デバイスである場合、前記作業原料の情報を前記スマートホームデバイスに送信して、前記スマートホームデバイスが前記作業原料の情報に基づいて作業原料を自動的に添加し、前記動作モードで作業を完成するようにするステップをさらに含んでもよい。
【００１２】
目標作業の完成時間を決定するステップと、
前記目標作業の完成時間に基づいて開始時間を算出するステップと
をさらに含んでもよい。
【００１３】
当該デバイスが前記スマートホームデバイスである場合、前記開始時間に達した時に作業を開始するステップを含んでもよく、
当該デバイスがスマートホームデバイスを制御する制御デバイスである場合、前記開始時間を前記スマートホームデバイスに送信して、前記スマートホームデバイスが前記開始時間に達した時に作業を開始するようにするステップをさらに含んでもよい。
【００１４】
前記目標作業の完成時間を決定するステップは、
参加者の位置情報に基づいて前記目標作業の完成時間を決定するステップを含んでもよい。
【００１５】
前記目標作業の完成時間を決定するステップは、
参加者の位置情報と業務嗜好情報に基づいて前記目標作業の完成時間を決定するステップを含んでもよい。
【００１６】
前記参加者は、食事をする人であり、
前記スマートホームデバイスは、スマート炊飯器であり、
前記動作モードは、一つ又は複数の調理パラメータの情報を含む調理モードであってもよい。
【００１７】
本発明の実施例に係る第２様態によれば、
参加者の個人情報を取得するための情報取得ユニットと、
前記個人情報に基づいてスマートホームデバイスの動作モードを決定して、前記スマートホームデバイスが前記動作モードで作業を完成するようにするためのモード決定ユニットと
を備える。
【００１８】
前記個人情報は、身元情報と業務嗜好情報を含み、
前記情報取得ユニットは、
ルータから現在ネットワークに接続されているデバイスリストを取得するための第１取得サブユニットと、
前記デバイスリストに基づいて参加者の身元情報を決定するための第１決定サブユニットと、
前記参加者の身元情報に基づいて前記参加者の業務嗜好情報を取得するための第２取得サブユニットと
を備えてもよい。
【００１９】
前記個人情報は、身元情報と業務嗜好情報を含み、
前記情報取得ユニットは、
バインディングされているデバイスの位置情報を取得するための第３取得サブユニットと、
前記位置情報に基づいて参加者の身元情報を決定するための第２決定サブユニットと、
前記身元情報に基づいて前記参加者の業務嗜好情報を取得するための第４取得サブユニットと
を備えてもよい。
【００２０】
前記情報取得ユニットは、
関連するテキストを分析して、参加者の個人情報を取得するための分析取得サブユニットを備えてもよい。
【００２１】
前記関連するテキストは、ログ情報、インスタントメッセージソフトウェアのチャット記録及びメール情報のうちの一つ又は複数を含んでもよい。
【００２２】
前記モード決定ユニットは、
当該デバイスがスマートホームデバイスを制御する制御デバイスである場合、前記動作モードを前記スマートホームデバイスに送信して、前記スマートホームデバイスが前記動作モードで作業を完成するようにするためのモード送信サブユニットと、
当該デバイスが前記スマートホームデバイスである場合、前記動作モードで作業を完成するための作業完成サブユニットと
を備えてもよい。
【００２３】
前記個人情報に基づいてスマートホームデバイスが作業を行う作業原料の情報を決定するための原料決定ユニットをさらに備えてもよい。
【００２４】
当該デバイスが前記スマートホームデバイスである場合、前記作業原料の情報に基づいて作業原料を自動的に添加し、前記動作モードで作業を完成するための第１添加ユニットと、
当該デバイスがスマートホームデバイスを制御する制御デバイスである場合、前記作業原料の情報を前記スマートホームデバイスに送信して、前記スマートホームデバイスが前記作業原料の情報に基づいて作業原料を自動的に添加し、前記動作モードで作業を完成するようにするための第２添加ユニットと
をさらに備えてもよい。
【００２５】
目標作業の完成時間を決定するための時間決定ユニットと、
前記目標作業の完成時間に基づいて開始時間を算出するための時間算出ユニットと
をさらに備えてもよい。
【００２６】
当該デバイスが前記スマートホームデバイスである場合、前記開始時間に達した時に作業を開始するための第１作業ユニットと、
当該デバイスがスマートホームデバイスを制御する制御デバイスである場合、前記開始時間を前記スマートホームデバイスに送信して、前記スマートホームデバイスが前記開始時間に達した時に作業を開始するようにするための第２作業ユニットと
をさらに備えてもよい。
【００２７】
前記時間決定ユニットは、
参加者の位置情報に基づいて前記目標作業の完成時間を決定するための第３決定サブユニットを備えてもよい。
【００２８】
前記時間決定ユニットは、
参加者の位置情報と業務嗜好情報に基づいて前記目標作業の完成時間を決定するための第４決定サブユニットを備えてもよい。
【００２９】
前記参加者は、食事をする人であり、
前記スマートホームデバイスは、スマート炊飯器であり、
前記動作モードは、一つ又は複数の調理パラメータの情報を含む調理モードであってもよい。
【００３０】
本発明の実施例に係る第３様態によれば、
プロセッサと、
前記プロセッサにより実行可能なインストラクションを記憶するためのメモリと、
を備え、
前記プロセッサは、
参加者の個人情報を取得し、
前記個人情報に基づいてスマートホームデバイスの動作モードを決定して、前記スマートホームデバイスが前記動作モードで作業を完成する
ように構成されるスマートホームデバイスの制御装置を提供する。
【００３１】
本発明の実施例に係る第４態様によれば、
プロセッサに実行されることにより、第1態様による前記スマートホームデバイスの制御方法を実現するプログラムを提供する。
【００３２】
本発明の実施例に係る第５態様によれば、
第４態様による前記プログラムが記録されている記録媒体を提供する。
【００３３】
本発明の実施例により提供された技術案によれば、以下のような有益な効果が得られる。即ち、本発明によれば、参加者の個人情報を取得し、前記個人情報に基づいてスマートホームデバイスの動作モードを決定して、前記スマートホームデバイスが前記動作モードで作業を完成するようにすることができる。本発明において、スマートホームデバイスは、参加者の個人情報に基づいて異なる動作モードで作業を完成することができ、それにより知能化の操作を実現し、ユーザのニーズを満足し、ユーザの使用体験を向上させる。
【００３４】
なお、上述の一般的な記載及び後述の詳細な記載は、単なる例示的で解釈であり、本発明に対する限定として見なしてはいけない。
【図面の簡単な説明】
【００３５】
以下の図面は、明細書に組み込まれて本願明細書の一部分となり、本願発明に係る実施例を示し、且つ明細書とともに、本発明の原理の説明に用いられる。
【００３６】
【図１】一つの例示的な実施例に係るスマートホームデバイスの制御方法のフローチャートである。
【００３７】
【図２】一つの例示的な実施例に係る別のスマートホームデバイスの制御方法のフローチャートである。
【００３８】
【図３】一つの例示的な実施例に係るスマート炊飯器の応用シーンを示す模式図である。
【００３９】
【図４】一つの例示的な実施例に係るスマートホームデバイスの制御装置のブロック図である。
【００４０】
【図５】一つの例示的な実施例に係る別のスマートホームデバイスの制御装置のブロック図である。
【００４１】
【図６】一つの例示的な実施例に係る別のスマートホームデバイスの制御装置のブロック図である。
【００４２】
【図７】一つの例示的な実施例に係る別のスマートホームデバイスの制御装置のブロック図である。
【００４３】
【図８】一つの例示的な実施例に係る別のスマートホームデバイスの制御装置のブロック図である。
【００４４】
【図９】一つの例示的な実施例に係る別のスマートホームデバイスの制御装置のブロック図である。
【００４５】
【図１０】一つの例示的な実施例に係る別のスマートホームデバイスの制御装置のブロック図である。
【００４６】
【図１１】一つの例示的な実施例に係る別のスマートホームデバイスの制御装置のブロック図である。
【００４７】
【図１２】一つの例示的な実施例に係る別のスマートホームデバイスの制御装置のブロック図である。
【００４８】
【図１３】一つの例示的な実施例に係る別のスマートホームデバイスの制御装置のブロック図である。
【００４９】
【図１４】一つの例示的な実施例に係る別のスマートホームデバイスの制御装置のブロック図である。
【００５０】
【図１５】一つの例示的な実施例に係るスマートホームデバイスの制御装置の構成を示す模式図である。
【発明を実施するための形態】
【００５１】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００５２】
図１は、一つの例示的な実施例に係るスマートホームデバイスの制御方法のフローチャートである。
【００５３】
図１を参照すると、前記スマートホームデバイスの制御方法は、スマートホームデバイス、スマート端末デバイス等のスマートデバイスに適用することができ、以下のステップを含む。即ち、
ステップＳ１０１において、参加者の個人情報を取得する。
【００５４】
本実施例において、前記個人情報は、参加者の身元情報と業務嗜好情報を含んでもよい。本ステップにおいて、参加者の個人情報を取得するには、以下のいずれか一つの方法を採用してもよい。即ち、
一つ目の方法は、ルータから現在ネットワークに接続されているデバイスリストを取得し、前記デバイスリストに基づいて参加者の身元情報を決定し、前記参加者の身元情報に基づいて前記参加者の業務嗜好情報を取得する方法である。
【００５５】
二つ目の方法は、バインディングされているデバイスの位置情報を取得し、前記位置情報に基づいて参加者の身元情報を決定し、前記身元情報に基づいて前記参加者の業務嗜好情報を取得する方法である。
【００５６】
三つ目の方法は、関連するテキストを分析して、参加者の個人情報を取得する方法である。ここで、前記関連するテキストは、ログ情報、インスタントメッセージソフトウェアのチャット記録及びメール情報のうちの一つ又は複数を含む。
【００５７】
ステップＳ１０２において、前記個人情報に基づいてスマートホームデバイスの動作モードを決定して、前記スマートホームデバイスが前記動作モードで作業を完成するようにする。
【００５８】
前記ステップＳ１０１に基づいて、参加者の個人情報を取得した後、前記個人情報に基づいてスマートホームデバイスの動作モードを決定する。本ステップにおいて、当該デバイスが、スマートホームデバイスを制御する制御デバイスである場合、前記動作モードを前記スマートホームデバイスに送信して、前記スマートホームデバイスが前記動作モードで作業を完成するようにする。当該デバイスが前記スマートホームデバイスである場合、前記動作モードで作業を完成する。
【００５９】
以上の記載から分かるように、本発明によれば、参加者の個人情報を取得し、前記個人情報に基づいてスマートホームデバイスの動作モードを決定することにより、前記スマートホームデバイスが前記動作モードで作業を完成するようにすることができる。本発明において、スマートホームデバイスは、参加者の個人情報に基づいて異なる動作モードで作業を完成することができ、それにより知能化の操作を実現し、ユーザのニーズを満足し、ユーザの使用体験を向上させる。
【００６０】
図２は、一つの例示的な実施例に係るスマートホームデバイスの制御方法のフローチャートである。
【００６１】
図２を参照すると、前記スマートホームデバイスの制御方法は、スマートデバイスに適用することができ、前記スマートデバイスは、スマート端末、スマートホームデバイス等を含んでもよい。ここで、前記スマートホームデバイスの制御方法が、スマート端末に適用される場合、前記スマート端末は、ネットワークを通じてスマートホームデバイスを制御することができ、前記スマート端末は、前記スマートホームデバイスの制御デバイスである。前記スマートホームデバイスの制御方法が、スマートホームデバイスに適用される場合、前記スマートホームデバイスは、本発明の実施例により提供される各種の制御方法に従って作業を完成することができる。図２に示す実施例では、前記スマートホームデバイスの制御方法は、以下のステップを含む。即ち、
ステップＳ２０１において、参加者の個人情報を取得する。
【００６２】
本実施例において、前記個人情報は、参加者の身元情報と業務嗜好情報を含んでもよい。本ステップにおいて、スマートデバイスは、所定の時間に達した時に参加者の個人情報を取得してもよく、ユーザからの命令を受信した後に参加者の個人情報を取得してもよい。本発明は、これについて特に限定しない。
【００６３】
前記参加者の個人情報を取得するには、以下のいずれか一つの方法を採用してもよい。即ち、
一つ目の方法は、ルータから現在ネットワークに接続されているデバイスリストを取得し、前記デバイスリストに基づいて参加者の身元情報を決定し、前記参加者の身元情報に基づいて前記参加者の業務嗜好情報を取得する方法である。
【００６４】
本実施例のスマートホームデバイスが作業しているシーンにおいて、一般的にはネットワークに接続するためのスマートルータ（本発明では、ルータと略称する）を有する。前記ルータにはそれを介してネットワークに接続するデバイス全てのデバイスリストが記憶されている。前記デバイスリストは、デバイス識別子、接続時間等の情報を含んでもよい。本方法では、本実施例の実行主体としてのスマートデバイスは、前記ルータから現在ネットワークに接続されているデバイスリストを取得し、前記デバイスリストに基づいて参加者の身元情報を決定することができる。例えば、スマートデバイスは、前記デバイスリストから現在ネットワークに接続されているデバイス識別子を取得し、前記デバイス識別子に基づいてクラウド又はローカルで当該デバイスを持っている参加者の身元情報を照会し、参加者の身元情報を決定した後に、前記身元情報に基づいてクラウド又はローカルで前記参加者の業務嗜好情報を照会することができる。
【００６５】
スマート炊飯器でご飯を作るシーンを例にして説明する。前記参加者は食事をする人であり、前記参加者の身元情報は食事をする人の身元情報であり、前記参加者の業務嗜好情報は食事をする人の味覚嗜好情報である。例えば、家庭での応用シーンにおいて、スマートデバイスは、自宅のルータから現在ネットワークに接続されているデバイスリストを取得でき、現在ネットワークに接続されているデバイスは、例えば、携帯電話Ａと携帯電話Ｂを含む。スマートデバイスは、携帯電話Ａと携帯電話Ｂの識別子に基づいてクラウド又はローカルから当該デバイスを持っている参加者の身元情報を照会することができる。例えば、祖母が携帯電話Ａを持ち、母親が携帯電話Ｂを持っている場合、食事をする人は祖母と母親であると決定してもよい。次に、スマートデバイスは、クラウドから祖母と母親の味覚嗜好情報、例えば、祖母と母親の両方はいずれも柔らかいご飯が好きという味覚嗜好情報を取得できる。当然、実際の実現において、クラウドは、デバイス識別子に対応する身元情報をルータに送り出して記憶させてもよい。本方法によれば、スマートデバイスは、直接ルータから現在ネットワークに接続されている食事をする人の身元情報を取得できる。本発明は、これについて特に限定しない。
【００６６】
二つ目の方法は、バインディングされているデバイスの位置情報を取得し、前記位置情報に基づいて参加者の身元情報を決定し、前記身元情報に基づいて前記参加者の業務嗜好情報を取得する方法である。
【００６７】
本方法では、予めスマートデバイスで参加可能な人の使うデバイスをバインディングしてもよい。スマートデバイスは、バインディングされた各デバイスの位置情報を取得し、前記位置情報に基づいて参加者の身元情報を決定する。例えば、スマートデバイスは、前記位置情報に基づいて参加者の使用しているデバイスのデバイス識別子を決定し、前記デバイス識別子に基づいて参加者の身元情報を決定し、さらに前記身元情報に基づいて前記参加者の業務嗜好情報を取得してもよい。
【００６８】
スマート炊飯器でご飯を作るシーンを例にして説明する。ユーザは、予めスマートデバイスで食事する可能性のある食事をする人のデバイス、例えば、祖母の持っている携帯電話Ａ、母親の持っている携帯電話Ｂ及び父親の持っている携帯電話Ｃをバインディングすることができる。スマートデバイスは、携帯電話Ａ、携帯電話Ｂ及び携帯電話Ｃの位置情報を取得し、その後、この三つの携帯電話の位置に基づいて家に帰って食事できる食事をする人を決定することができる。例えば、祖母と母親の持っている携帯電話Ａと携帯電話Ｂは、いずれも家にあるが、父親の持っている携帯電話Ｃは上海にある場合、スマートデバイスは、北京の家で食事できる食事をする人の身元情報は、祖母と母親であると決定して、クラウドから祖母と母親の味覚嗜好情報を取得することができる。ここで、その説明を省略することにする。
【００６９】
三つ目の方法は、関連するテキストを分析して、参加者の個人情報を取得する方法である。
【００７０】
本方法では、スマートデバイスに対し、関連するテキストの権限を付与することができ、スマートデバイスは、前記関連するテキストにアクセスして、関連するテキストに記載されている情報に対して分析を行うことにより、参加者の個人情報を取得することができる。ここで、前記関連するテキストは、ログ情報、インスタントメッセージソフトウェアのチャット記録及びメール情報のうちの一つ又は複数を含む。
【００７１】
スマートホームデバイスがスマート炊飯器である場合を例にして説明する。スマートデバイスは、ユーザのログ情報を分析し、前記ログ情報の中から食事をする人の身元情報を決定し、前記身元情報に基づいてクラウド又はローカルから食事をする人の味覚嗜好情報を取得することができる。
【００７２】
当然、本実施例において、参加者の個人情報を取得する方法は、以上の三つの方法に限定されない。実際の応用において、ユーザが参加者の身元情報を入力し、スマートデバイスは、前記身元情報に基づいてクラウド又はローカルから参加者の業務嗜好情報を取得してもよい。本発明は、これについて特に限定しない。
【００７３】
ステップＳ２０２において、前記個人情報に基づいてスマートホームデバイスの動作モードを決定する。
【００７４】
前記ステップＳ２０１に基づいて、参加者の個人情報を取得した後、前記個人情報に基づいてスマートホームデバイスの動作モードを決定できる。例えば、参加者が一人だけである場合、当該参加者の業務嗜好情報に基づいて前記業務嗜好にマッチングする動作モードを決定する。参加者が複数人いる場合、大多数の参加者の業務嗜好情報に基づいて当該大部分の参加者の業務嗜好にマッチングする動作モードを決定してもよく、参加者の中の優先順位１番目の参加者の業務嗜好情報に基づいて優先順位１番目の参加者にマッチングした動作モードを決定してもよい。
【００７５】
スマート炊飯器でご飯を作る応用シーンを例にして説明する。前記スマートホームデバイスの動作モードは、スマート炊飯器の調理モードであり、一つ又は複数の調理パラメータの情報、例えば、調理時の温度情報等を含む。仮に、スマートデバイスが、食事をする人は祖母だけであるという情報を取得し、祖母は柔らかい食感のご飯が好きである場合、本ステップにおいてスマート炊飯器の調理モードを柔らかくご飯を作る調理モードに決定できる。仮に、スマートデバイスが、食事をする人は祖母、母親と父親であるという情報を取得し、そのうちの祖母と母親は柔らかい食感のご飯が好きだが、父親は硬い食感のご飯が好きである場合、大多数の人の食感を基準にして、本ステップにおいてスマート炊飯器の調理モードを柔らかくご飯を作る調理モードに決定できる。当然、実際の応用において、予めそれぞれの食事をする人の好みに合う調理モードを決定し、その後、前記調理モードにおける各パラメータ情報の平均値を算出し、前記各パラメータ情報の平均値を本ステップで決定した調理モードとしてもよい。本発明の別の選択可能な実施例において、前記食事をする人の個人情報は、前記食事をする人の優先順位の情報をさらに含んでもよく、仮に、祖母、母親と父親の中で、祖母の優先順位を１番目とすれば、本ステップにおいて祖母の味覚嗜好情報に基づいて、スマート炊飯器の調理モードを柔らかくご飯を作る調理モードに決定することができる。
【００７６】
ステップＳ２０３において、当該デバイスが前記スマートホームデバイスである場合、前記動作モードで作業を完成する。
【００７７】
本実施例において、スマートホームデバイスの制御方法の実行主体がスマートホームデバイスである場合、スマートホームデバイスは、前記動作モードを決定した後、前記動作モードで作業を完成する。例えば、スマート炊飯器は、調理モードを決定した後、前記調理モードで調理する。
【００７８】
ステップＳ２０４において、当該デバイスがスマートホームデバイスを制御する端末デバイスである場合、前記動作モードを前記スマートホームデバイスに送信して、前記スマートホームデバイスが前記動作モードで作業を完成するようにする。
【００７９】
本実施例において、スマートホームデバイスの制御方法の実行主体がスマート端末である場合、前記スマート端末は、前記動作モードをスマートホームデバイスに送信し、スマートホームデバイスは、前記動作モードを受信した後、前記動作モードで作業を完成することができる。
【００８０】
以上の記載から分かるように、本発明によれば、参加者の個人情報を取得し、前記個人情報に基づいてスマートホームデバイスの動作モードを決定して、前記スマートホームデバイスが前記動作モードで作業を完成するようにすることができる。本発明において、スマートホームデバイスは、参加者の個人情報に基づいて異なる動作モードで作業を完成することができ、それにより知能化の操作を実現し、ユーザのニーズを満足し、ユーザの使用体験を向上させる。
【００８１】
本発明の別の一つの選択可能な実施例において、前記スマートデバイスは、前記個人情報に基づいてスマートホームデバイスが作業を行う作業原料の情報を決定してもよい。スマート炊飯器でご飯を作る応用シーンを例にして説明する。スマートデバイスは、食事をする人の身元情報に基づいて米の使用量を決定し、その後、前記米の使用量をユーザにプロンプトして、ユーザが適量の米を添加してご飯を作るようにすることができる。本実施例において、スマートホームデバイスの制御方法の実行主体がスマート端末である場合、スマート端末は、決定された米の使用量をスマート炊飯器に送信し、スマート炊飯器は、接続されている給米口又はマニピュレータ（ｍａｎｉｐｕｌａｔｏｒ）を通じて米、及び適量の水を自動的に加えて、前記調理モードでご飯を仕上げることができる。本実施例において、スマートホームデバイスの制御方法の実行主体がスマート炊飯器である場合、スマート炊飯器は、前記米の使用量に基づいて、米と水を自動的に入れ、前記調理モードでご飯を仕上げることができる。本発明は、その説明を省略することにする。
【００８２】
本発明の別の一つの選択可能な実施例において、前記スマートデバイスは、目標作業の完成時間を決定し、前記目標作業の完成時間に基づいて作業開始時間を算出してもよい。スマート炊飯器でご飯を作る応用シーンを例にして説明する。前記目標作業の完成時間は調理が完了された時間であり、前記作業開始時間は調理を開始する時間である。スマートデバイスは、前記食事の時間に基づいて調理を開始する時間を算出してもよい。仮に決定された食事の時間が１９時であり、スマート炊飯器でご飯を作る時間が４５分であるとすれば、調理の開始時間は１８時１５分となる。
【００８３】
前記調理の開始時間を決定した後、本実施例において、スマートホームデバイスの制御方法の実行主体がスマート端末である場合、スマート端末は、１８時１５分前に前記調理の開始時間をスマート炊飯器に送信して、スマート炊飯器が１８時１５分に調理を開始するようにしてもよい。本実施例において、スマートホームデバイスの制御方法の実行主体がスマート炊飯器である場合、スマート炊飯器は１８時１５分に調理を開始する。
【００８４】
本実施例において、スマートデバイスは、目標作業の完成時間を決定するには、以下の二つの方法を採用してもよい。即ち、
一つ目の方法は、スマートデバイスが、参加者の位置情報に基づいて前記目標作業の完成時間を決定する方法である。本方法では、スマートデバイスは、食事をする人の個人情報を取得した後、バインディングされている食事をする人の使用しているデバイスを通じて食事をする人の現在の位置情報を取得し、その後、それぞれの食事をする人の現在位置から帰宅までの所要時間を算出し、一番最後に帰宅する食事をする人の帰宅時間を前記食事の時間、即ち、前記目標作業の完成時間とすることができる。
【００８５】
二つ目の方法は、スマートデバイスが、参加者の位置情報と業務嗜好情報に基づいて前記目標作業の完成時間を決定する方法である。前記業務嗜好情報は、食事をする人の好きなご飯温度をさらに含んでもよい。例えば、食事をする人は、炊き立てのご飯を４０度程度までに置いてから食べるのが好きで、炊き立てご飯が４０度になるまで３０分かかる場合、前記調理開始時間は、食事の時間から調理時間を引いてからさらに放置時間を引くことになる。仮に、食事をする人の位置情報に基づいて決定された食事の時間は、１９時であり、放置所要時間が３０分であるとすれば、前記調理の終了時間は１８時３０分、調理の開始時間は１７時４５分となる。
【００８６】
以下、具体的な実施例を組み合わせて本発明の具体的な実現過程を説明する。
【００８７】
図３は、一つの例示的な実施例に係るスマート炊飯器の応用シーンを示す模式図である。図３を参照すると、スマート炊飯器３２はユーザの家にあり、ユーザが使用している携帯電話は携帯電話３１であり、ユーザは、父親、母親と祖母の使用しているスマートデバイスを自分のアカウントにバインディングしている。ユーザが北京の家で携帯電話３１を使用してアカウントにログインした後、携帯電話３１は、家族全員の使用しているスマートデバイスの位置情報を取得することができる。仮に、祖母の使用しているタブレットＰＣは家にあり、父親の使用している携帯電話は家から３キロメートル離れた場所にあり、母親の使用している携帯電話は上海にあるとすれば、携帯電話３１は、家で食事できる人が父親、祖母とユーザ本人であると決定することができる。携帯電話３１はさらに、クラウドのサーバー３３から父親、祖母とユーザ本人の好きなご飯に対する食感情報を取得できる。仮に、携帯電話３１は、父親とユーザ本人は硬い食感のご飯が好きだが、祖母は柔らかい食感のご飯が好きで、食事する三人の中で、祖母の優先順位が１番目であるという情報を取得した場合、携帯電話３１は、スマート炊飯器の調理モードを柔らかくご飯を作る調理モードに決定できる。そのほか、携帯電話３１は、クラウドからそれぞれの食事をする人の普段の食事量に関する情報、例えば、祖母とユーザ本人の食事量はそれぞれ１００グラムであり、父親の食事量は２００グラムであるという情報を取得した場合、この一食には４００グラムのご飯が必要となる。携帯電話３１は、前述の調理モードと所要の米の量を、ネットワークを通じてスマート炊飯器３２に送信し、スマート炊飯器３２は、４００グラムの米と適量の水を自動的に入れ、その後、前記調理モードで調理を開始する。
【００８８】
図３に示す応用シーンにおいて、携帯電話３１は、前述の図１又は図２に示す方法の実施例で前記スマート炊飯器３２に対して制御を行ってもよい。ここでは、その説明を省略することにする。
【００８９】
前述のスマートホームデバイスの制御方法の実施例に対応して、本発明は、スマートホームデバイスの制御装置の実施例をさらに提供する。
【００９０】
図４は、一つの例示的な実施例に係るスマートホームデバイスの制御装置のブロック図である。
【００９１】
図４を参照すると、前記スマートホームデバイスの制御装置４００は、スマートデバイスに適用でき、情報取得ユニット４０１及びモード決定ユニット４０２を備える。
【００９２】
ここで、前記情報取得ユニット４０１は、参加者の個人情報を取得するように構成される。
【００９３】
前記モード決定ユニット４０２は、前記個人情報に基づいてスマートホームデバイスの動作モードを決定して、前記スマートホームデバイスが前記動作モードで作業を完成するように構成される。
【００９４】
上述実施例において、参加者の個人情報を取得し、前記個人情報に基づいてスマートホームデバイスの動作モードを決定して、前記スマートホームデバイスが前記動作モードで作業を完成するようにすることができる。本発明において、スマートホームデバイスは、参加者の個人情報に基づいて異なる動作モードで作業を完成することができ、それにより知能化の操作を実現し、ユーザのニーズを満足し、ユーザの使用体験を向上させる。
【００９５】
図５は、一つの例示的な実施例に係る別のスマートホームデバイスの制御装置のブロック図である。
【００９６】
図５を参照すると、当該実施例において、前述の図４に示す実施例を基に、前記個人情報は、身元情報と業務嗜好情報を備え、前記情報取得ユニット４０１は、第１取得サブユニット４０１１、第１決定サブユニット４０１２及び第２取得サブユニット４０１３を備えてもよい。
【００９７】
ここで、前記第１取得サブユニット４０１１は、ルータから現在ネットワークに接続されているデバイスリストを取得するように構成され、
前記第１決定サブユニット４０１２は、前記デバイスリストに基づいて参加者の身元情報を決定するように構成され、
前記第２取得サブユニット４０１３は、前記参加者の身元情報に基づいて前記参加者の業務嗜好情報を取得するように構成される。
【００９８】
図６は、一つの例示的な実施例に係る別のスマートホームデバイスの制御装置のブロック図である。
【００９９】
図６を参照すると、当該実施例において、前述の図４に示す実施例を基に、前記個人情報は、身元情報と業務嗜好情報を備え、前記情報取得ユニット４０１は、第３取得サブユニット４０１４、第２決定サブユニット４０１５及び第４取得サブユニット４０１６を備えてもよい。
【０１００】
ここで、前記第３取得サブユニット４０１４は、バインディングされているデバイスの位置情報を取得するように構成され、
前記第２決定サブユニット４０１５は、前記位置情報に基づいて参加者の身元情報を決定するように構成され、
前記第４取得サブユニット４０１６は、前記身元情報に基づいて前記参加者の業務嗜好情報を取得するように構成される。
【０１０１】
図７は、一つの例示的な実施例に係る別のスマートホームデバイスの制御装置のブロック図である。
【０１０２】
図７を参照すると、当該実施例において、前述の図４に示す実施例を基に、前記情報取得ユニット４０１が、分析取得サブユニット４０１７を備えてもよい。
【０１０３】
前記分析取得サブユニット４０１７は、関連するテキストを分析して、参加者の個人情報を取得するように構成される。
【０１０４】
前記関連するテキストは、ログ情報、インスタントメッセージソフトウェアのチャット記録及びメール情報のうちの一つ又は複数を含んでもよい。
【０１０５】
図８は、一つの例示的な実施例に係る別のスマートホームデバイスの制御装置のブロック図である。
【０１０６】
図８を参照すると、当該実施例において、前述の図４に示す実施例を基に、前記モード決定ユニット４０２が、モード送信サブユニット４０２１及び作業完成サブユニット４０２２を備えてもよい。
【０１０７】
ここで、前記モード送信サブユニット４０２１は、当該デバイスがスマートホームデバイスを制御する制御デバイスである場合、前記動作モードを前記スマートホームデバイスに送信して、前記スマートホームデバイスが前記動作モードで作業を完成するように構成される。
【０１０８】
前記作業完成サブユニット４０２２は、当該デバイスが前記スマートホームデバイスである場合、前記動作モードで作業を完成するように構成される。
【０１０９】
ここで説明すべき点は、上述の図８に示す実施例に含まれるモード送信サブユニット４０２１及び作業完成サブユニット４０２２は、前述の図５乃至図７に示す装置の実施例に含まれてもよい。本発明は、これについて特に限定しない。
【０１１０】
図９は、一つの例示的な実施例に係る別のスマートホームデバイスの制御装置のブロック図である。
【０１１１】
図９を参照すると、当該実施例において、前述の図４に示す実施例を基に、前記スマートホームデバイスの制御装置４００が、原料決定ユニット４０３をさらに備えてもよい。
【０１１２】
前記原料決定ユニット４０３は、前記個人情報に基づいてスマートホームデバイスが作業を行う作業原料の情報を決定するように構成される。
【０１１３】
図１０は、一つの例示的な実施例に係る別のスマートホームデバイスの制御装置のブロック図である。
【０１１４】
図１０を参照すると、当該実施例において、前述の図９に示す実施例を基に、前記スマートホームデバイスの制御装置４００が、第１添加ユニット４０４及び第２添加ユニット４０５をさらに備えてもよい。
【０１１５】
ここで、前記第１添加ユニット４０４は、当該デバイスが前記スマートホームデバイスである場合、前記作業原料の情報に基づいて作業原料を自動的に添加し、且つ前記動作モードで作業を完成するように構成される。
【０１１６】
前記第２添加ユニット４０５は、当該デバイスが、スマートホームデバイスを制御する制御デバイスである場合、前記作業原料の情報を前記スマートホームデバイスに送信して、前記スマートホームデバイスが、前記作業原料の情報に基づいて作業原料を自動的に添加し、前記動作モードで作業を完成するように構成される。
【０１１７】
図１１は、一つの例示的な実施例に係る別のスマートホームデバイスの制御装置のブロック図である。
【０１１８】
図１１を参照すると、当該実施例において、前述の図４に示す実施例を基に、前記スマートホームデバイスの制御装置４００が、時間決定ユニット４０６及び時間算出ユニット４０７をさらに備えてもよい。
【０１１９】
ここで、前記時間決定ユニット４０６は、目標作業の完成時間を決定するように構成される。
【０１２０】
前記時間算出ユニット４０７は、前記目標作業の完成時間に基づいて開始時間を算出するように構成される。
【０１２１】
図１２は、一つの例示的な実施例に係る別のスマートホームデバイスの制御装置のブロック図である。
【０１２２】
図１２を参照すると、当該実施例において、前述の図１１に示す実施例を基に、前記スマートホームデバイスの制御装置４００が、第１作業ユニット４０８及び第２作業ユニット４０９をさらに備えてもよい。
【０１２３】
ここで、前記第１作業ユニット４０８は、当該デバイスが前記スマートホームデバイスである場合、前記開始時間に達した時に作業を開始するように構成される。
【０１２４】
前記第２作業ユニット４０９は、当該デバイスがスマートホームデバイスを制御する制御デバイスである場合、前記開始時間を前記スマートホームデバイスに送信して、前記スマートホームデバイスが前記開始時間に達した時に作業を開始するように構成される。
【０１２５】
図１３は、一つの例示的な実施例に係る別のスマートホームデバイスの制御装置のブロック図である。
【０１２６】
図１３を参照すると、当該実施例において、前述の図１１に示す実施例を基に、前記時間決定ユニット４０６が、第３決定サブユニット４０６１をさらに備えてもよい。
【０１２７】
前記第３決定サブユニット４０６１は、参加者の位置情報に基づいて前記目標作業の完成時間を決定するように構成される。
【０１２８】
図１４は、一つの例示的な実施例に係る別のスマートホームデバイスの制御装置のブロック図である。
【０１２９】
図１４を参照すると、当該実施例において、前述の図１１に示す実施例を基に、前記時間決定ユニット４０６が、第４決定サブユニット４０６２をさらに備えてもよい。
【０１３０】
前記第４決定サブユニット４０６２は、参加者の位置情報と業務嗜好情報に基づいて前記目標作業の完成時間を決定するように構成される。
【０１３１】
前記参加者は、食事をする人であり、
前記スマートホームデバイスは、スマート炊飯器であり、
前記動作モードは、一つ又は複数の調理パラメータの情報を含む調理モードであってもよい。
【０１３２】
上述の装置において、各ユニットの機能と作用の実現過程については、具体的に上述の方法における対応するステップの実現過程を参照し、ここではその説明を省略することにする。
【０１３３】
装置の実施例は、基本的に方法の実施例に対応するため、関連する部分については方法の実施例の内容を参照すればよい。以上に記載された装置の実施例は、ただ例示的なものにすぎず、前記分離部品として説明されたユニットは、物理的に離れてもよいし離れなくてもよい。ユニットとして表示された部品は、物理的なユニットであってもよいし物理的なユニットではなくてもよい。即ち、一箇所に位置されてもよいし、複数のネットワークユニットに分布してもよい。実際のニーズに応じてその中の一部又は全部のモジュールを選択して本発明の目的を実現することができる。当業者は創造的な労働を払わなくても、理解且つ実施することができる。
【０１３４】
相応に、本発明は、プロセッサと、プロセッサにより実行可能なインストラクションを記憶するためのメモリとを備え、前記プロセッサは、参加者の個人情報を取得し、前記個人情報に基づいてスマートホームデバイスの動作モードを決定して、前記スマートホームデバイスが前記動作モードで作業を完成するように構成されるスマートホームデバイスの制御装置を提供する。
【０１３５】
相応に、本発明によれば、
コンピュータに読み取り可能な不揮発性の記録媒体をさらに提供する。スマートデバイスのプロセッサが前記記録媒体中のインストラクションを実行することにより、スマートデバイスにスマートホームデバイスの制御方法を実行させ、前記方法は、参加者の個人情報を取得するステップと、前記個人情報に基づいてスマートホームデバイスの動作モードを決定して、前記スマートホームデバイスが前記動作モードで作業を完成するようにするステップとを含む。
【０１３６】
図１５は、一つの例示的な実施例に係るスマートホームデバイスの制御装置１５００のブロック図である。例えば、装置１５００は、携帯電話、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【０１３７】
図１５を参照すると、装置１５００は、処理アセンブリ１５０２、メモリ１５０４、電源アセンブリ１５０６、マルチメディアアセンブリ１５０８、オーディオアセンブリ１５１０、入力／出力（Ｉ／Ｏ）インターフェース１５１２、センサアセンブリ１５１４及び通信アセンブリ１５１６からなる群から選ばれる少なくとも１つを備えてもよい。
【０１３８】
処理アセンブリ１５０２は、一般的には、装置１５００の全体の操作、例えば、表示、電話呼び出し、データ通信、カメラ操作及び記録操作に関連する操作を制御する。処理アセンブリ１５０２は、上述の方法におけるステップの一部又は全部を実現できるように、インストラクションを実行する少なくとも１つのプロセッサ１５８０を備えてもよい。なお、処理アセンブリ１５０２は、他のアセンブリとのインタラクションの便宜上、少なくとも１つのモジュールを備えてもよい。例えば、処理アセンブリ１５０２は、マルチメディアアセンブリ１５０８とのインタラクションの便宜を図るために、マルチメディアモジュールを備えてもよい。
【０１３９】
メモリ１５０４は、装置１５００における操作を支援するための、各種のデータを記憶するように構成される。これらのデータの例として、装置１５００において操作される何れのアプリケーション又は方法に関するインストラクション、連絡先データ、電話帳データ、メッセージ、画像、ビデオ等を含む。メモリ１５０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、又は光ディスク、又はこれらの組み合わせにより実現することができる。
【０１４０】
電源アセンブリ１５０６は、装置１５００の各種アセンブリに電力を供給するためのものであり、電源管理システム、１つ又は複数の電源、及び装置１５００のために電力を生成、管理及び分配することに関連のある他のアセンブリを備えてもよい。
【０１４１】
マルチメディアアセンブリ１５０８は、装置１５００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ１５０８は、フロントカメラ及び／又はバックカメラを備えてもよい。装置１５００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１４２】
オーディオアセンブリ１５１０は、オーディオ信号を出力及び／又は入力するように構成される。例えば、オーディオアセンブリ１５１０は、マイクロフォン（ＭＩＣ）を有してもよい。装置１５００が、例えば呼び出しモード、記録モード又は音声認識モードのような操作モードにある場合、マイクロフォンは外部のオーディオ信号を受信するように構成される。受信されたオーディオ信号は、メモリ１５０４に記憶されてもよく、通信アセンブリ１５１６を介して送信されてもよい。何れかの実施例において、オーディオアセンブリ１５１０は、オーディオ信号を出力するためのスピーカをさらに備えてもよい。
【０１４３】
Ｉ／Ｏインターフェース１５１２は、処理アセンブリ１５０２と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１４４】
センサアセンブリ１５１４は、装置１５００のために各方面の状態評価を提供するための少なくとも１つのセンサを備えてもよい。例えば、センサアセンブリ１５１４は、装置１５００のオン／オフ状態や、アセンブリの相対的な位置を検出することができる。例えば、前記アセンブリが装置１５００のディスプレイ及びキーパッドである場合、センサアセンブリ１５１４は、装置１５００又は装置１５００の１つのアセンブリの位置の変化や、ユーザと装置１５００との接触の有無や、装置１５００の方位又は加速／減速や、装置１５００の温度変化を検出することができる。センサアセンブリ１５１４は、何れの物理的接触もない状況にて付近の物体の有無を検出できるように構成される近接センサを含んでもよい。センサアセンブリ１５１４は、さらに、画像表示技術分野に用いられる光センサ、例えばＣＭＯＳ又はＣＣＤ画像センサを含んでもよい。何れかの実施例において、当該センサアセンブリ１５１４は、さらに、加速度センサ、ジャイロスコープセンサ、磁気センサ、圧力センサ又は温度センサを含んでもよい。
【０１４５】
通信アセンブリ１５１６は、装置１５００と他の設備との間の無線又は有線通信が便利になるように構成される。装置１５００は、通信標準に基づく無線ネットワーク、例えばＷｉＦｉ、２Ｇ又は３Ｇ、又はそれらの組み合わせにアクセスできる。１つの例示的な実施例において、通信アセンブリ１５１６は、ブロードキャストチャンネルを介して外部のブロードキャスト管理システムからのブロードキャスト信号又はブロードキャストに関する情報を受信することができる。１つの例示的な実施例において、前記通信アセンブリ１５１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【０１４６】
例示的な実施例において、装置１５００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１４７】
例示的な実施例において、さらに、装置１５００のプロセッサ１５８０により実行されることにより上述の方法を実現可能なインストラクションが記憶され、且つコンピュータに読み取り可能な不揮発性の記録媒体、例えばインストラクションが記憶されているメモリ１５０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１４８】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１４９】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【０１５０】
本発明は、出願番号がＣＮ２０１５１０２０４８２５．Ｘであって、出願日が２０１５年４月２７日である中国特許出願に基づき優先権を主張し、当該中国特許出願のすべての内容を本願に援用する。
【図１】
0006259166.tif 000002
【図２】
0006259166.tif 000003
【図３】
0006259166.tif 000004
【図４】
0006259166.tif 000005
【図５】
0006259166.tif 000006
【図６】
0006259166.tif 000007
【図７】
0006259166.tif 000008
【図８】
0006259166.tif 000009
【図９】
0006259166.tif 000010
【図１０】
0006259166.tif 000011
【図１１】
0006259166.tif 000012
【図１２】
0006259166.tif 000013
【図１３】
0006259166.tif 000014
【図１４】
0006259166.tif 000015
【図１５】
0006259166.tif 000016